(57)【要約】【課題】遮光の目的を果たしつつもユーザの視界を極力確保することのできるサンバイザーを提供する。【解決手段】サンバイザーは、第１光制御部４０Ｆおよび第２光制御部４０Ｂを備える。第１光制御部４０Ｆおよび第２光制御部４０Ｂは、いずれも、偏光軸が第１方向ｐａ１となる領域Ａ１と、偏光軸が第２方向ｐａ２となる領域Ａ２とが交互に形成された偏光フィルムによって構成される。偏光フィルムのうち、第１光制御部４０Ｆと第２光制御部４０Ｂのそれぞれとなる位置をずらすことで、第１光制御部４０Ｆを透過した光に対する第２光制御部４０Ｂの透過率を調整する。【選択図】図３
2015136968.tif 000002
【特許請求の範囲】
【請求項１】
入射する光を制御する光制御部材と、
前記光制御部材のうちの一部および別の一部のそれぞれを１の光制御領域の法線方向に並べて配置することによって前記一部および前記別の一部の双方を前記光制御領域に配置することで、前記一部および前記別の一部のそれぞれを第１光制御部および第２光制御部として且つ、前記光制御部材を変位させることで前記光制御部材のうち前記第１光制御部となる部分および前記第２光制御部となる部分の少なくとも一方を変更する変更部材とを備え、
前記変更部材による変更により前記光制御部材のうち前記第１光制御部となる部分および前記第２光制御部となる部分の組み合わせを変更し、車両の外部から前記光制御領域に入射した光が該光制御領域を透過する量を調整する車載調光装置。
【請求項２】
前記光制御領域は、互いに隣接して配置される複数の領域からなり、
前記光制御部材は、前記複数の領域のそれぞれに配置されるものであり、
前記変更部材は、前記光制御部材のうち前記第１光制御部となる部分および前記第２光制御部となる部分の少なくとも一方を、前記複数の領域の各領域毎に独立に変更することが可能である請求項１記載の車載調光装置。
【請求項３】
互いに隣接する複数の光制御領域のそれぞれに各別に割り振られて且つ、入射する光を制御する光制御部材と、
前記光制御領域のそれぞれに割り振られた前記光制御部材の一部を対応する光制御領域に配置して且つ、前記光制御部材を変位させることで前記光制御領域に位置する前記光制御部材の部分を、前記光制御領域毎に独立に変更する変更部材とを備え、
前記変更部材によって前記部分を変更することで前記光制御領域の光透過特性を変更し、車両の外部から光制御領域に入射した光が該光制御領域を透過する量を調整する車載調光装置。
【請求項４】
前記光制御部材は、可撓性を有する膜体であり、
前記第１光制御部と前記第２光制御部とのそれぞれは、前記光制御部材としての単一の膜体の互いに相違する部分であり、
前記変更部材は、前記膜体の両端部のそれぞれに接続されてそれら端部の膜体を巻き取る巻取部を備え、前記両端部のうちのいずれか一方が巻き取られることで他方が解かれて前記膜体のうち前記第１光制御部となる部分と前記第２光制御部となる部分とを変更する請求項１または２記載の車載調光装置。
【請求項５】
前記光制御部材は、所定の光を選択的に透過させるものである請求項１，２または４のいずれか１項に記載の車載調光装置。
【請求項６】
前記光制御部材は、偏光軸が互いに相違する領域を有した偏光フィルムである請求項１，２，４または５のいずれか１項に記載の車載調光装置。
【発明の詳細な説明】
【技術分野】
【０００１】
本発明は、車載調光装置に関する。
【背景技術】
【０００２】
この種の調光装置としては、たとえば特許文献１に見られるように、遮光板であるサインバイザー本体を車両の天井側に取り付ける支持部材によって、サンバイザー本体の面が車両の前面に平行な位置から側面に平行な位置まで回転変位させることのできるものが提案されている。
【先行技術文献】
【特許文献】
【０００３】
【特許文献１】特開２０１１−８９８号公報
【発明の概要】
【発明が解決しようとする課題】
【０００４】
ただし、この場合、サンバイザー本体の面によって遮光することで、ユーザの視界が一律に遮られるため、ユーザの視界確保の観点で改善の余地がある。
本発明は、そうした実情に鑑みてなされたものであり、その目的は、遮光の目的を果たしつつもユーザの視界を極力確保することのできる車載調光装置を提供することにある。
【課題を解決するための手段】
【０００５】
以下、上記課題を解決するための手段およびその作用効果について記載する。
技術的思想１：入射する光を制御する光制御部材と、前記光制御部材のうちの一部および別の一部のそれぞれを１の光制御領域の法線方向に並べて配置することによって前記一部および前記別の一部の双方を前記光制御領域に配置することで、前記一部および前記別の一部のそれぞれを第１光制御部および第２光制御部として且つ、前記光制御部材を変位させることで前記光制御部材のうち前記第１光制御部となる部分および前記第２光制御部となる部分の少なくとも一方を変更する変更部材とを備え、前記変更部材による変更により前記光制御部材のうち前記第１光制御部となる部分および前記第２光制御部となる部分の組み合わせを変更し、車両の外部から前記光制御領域に入射した光が該光制御領域を透過する量を調整する車載調光装置。
【０００６】
上記装置では、光制御部材を変位させることで光制御部材のうち光制御領域に位置する部分を変更し、第１光制御部および第２光制御部の少なくとも一方となる部分を変更する。ここで、光制御部材が、直線偏光の向きや入射角に対して吸収率や反射率に顕著な相違を有するものであるなら、第１光制御部を透過した光に対する第２光制御部の吸収率や反射率を、上記少なくとも一方の変更によって変更することができる。また、光制御部材が、直線偏光の向きや入射角に対して吸収率や反射率に顕著な相違を有しないものの、光の吸収率や反射率が互いに顕著に相違する複数の領域を有するものであるなら、変更される前後で変更された光制御部の吸収率や反射率が変化する。したがって、いずれにせよ、光制御領域の光透過特性を調整することができる。このため、光制御領域の光を一律遮る場合と比較して、遮光の目的を果たしつつもユーザの視界を極力確保することができる。
【０００７】
技術的思想２：前記光制御領域は、互いに隣接して配置される複数の領域からなり、前記光制御部材は、前記複数の領域のそれぞれに配置されるものであり、前記変更部材は、前記光制御部材のうち前記第１光制御部となる部分および前記第２光制御部となる部分の少なくとも一方を、前記複数の領域の各領域毎に独立に変更することが可能である技術的思想１記載の車載調光装置。
【０００８】
上記装置では、光制御領域が互いに隣接して配置される複数の領域について、それら各領域毎に光透過特性を独立に調整することが可能となる。このため、特に透過量を低下させたい部分の透過量を選択的に低くすることなどが可能となり、ひいては、所望の領域の透過量を十分に低下させつつも、光が十分透過する領域を確保することが可能となる。
【０００９】
技術的思想３：互いに隣接する複数の光制御領域のそれぞれに各別に割り振られて且つ、入射する光を制御する光制御部材と、前記光制御領域のそれぞれに割り振られた前記光制御部材の一部を対応する光制御領域に配置して且つ、前記光制御部材を変位させることで前記光制御領域に位置する前記光制御部材の部分を、前記光制御領域毎に独立に変更する変更部材とを備え、前記変更部材によって前記部分を変更することで前記光制御領域の光透過特性を変更し、車両の外部から光制御領域に入射した光が該光制御領域を透過する量を調整する車載調光装置。
【００１０】
上記装置では、光制御領域が互いに隣接して配置される複数の領域について、それら各領域毎に光透過特性を独立に調整することが可能となる。このため、特に透過量を低下させたい部分の透過量を選択的に低くすることなどが可能となる。したがって、複数の光制御領域に入射する光を一律遮る場合と比較して、遮光の目的を果たしつつもユーザの視界を極力確保することができる。
【００１１】
技術的思想４：前記光制御部材は、可撓性を有する膜体であり、前記第１光制御部と前記第２光制御部とのそれぞれは、前記光制御部材としての単一の膜体の互いに相違する部分であり、前記変更部材は、前記膜体の両端部のそれぞれに接続されてそれら端部の膜体を巻き取る巻取部を備え、前記両端部のうちのいずれか一方が巻き取られることで他方が解かれて前記膜体のうち前記第１光制御部となる部分と前記第２光制御部となる部分とを変更する技術的思想１または２記載の車載調光装置。
【００１２】
上記装置では、第１光制御部と第２光制御部とを膜体の互いに相違する部分として、この膜体の両端部に巻取部を備える構成とする。このため、第１光制御部を構成する膜体と第２光制御部を構成する膜体とを各別として且つ、各膜体のそれぞれの両端部に巻取部を備える場合と比較して、部品点数を低減することができる。
【００１３】
技術的思想５：前記光制御部材は、所定の光を選択的に透過させるものである技術的思想１，２または４のいずれか１項に記載の車載調光装置。
所定の光を選択的に透過させるものが、光制御領域の法線方向において複数並べて配置される場合、それらの位置関係をずらすことで、並べて配置された１つの部材を透過した光に対する別の部材の吸収率や反射率を可変とすることができる。上記装置では、この点に鑑み、光制御部材を選択した。
【００１４】
技術的思想６：前記光制御部材は、偏光軸が互いに相違する領域を有した偏光フィルムである技術的思想１，２，４または５のいずれか１項に記載の車載調光装置。
光制御部材として上記偏光フィルムを採用する場合、光制御領域に位置する部分を変更することで、その部分の偏光軸の方向を可変とすることができる。そして、これにより、第１光制御部を透過した光に対する第２光制御部による吸収率を可変とすることができる。したがって、上記装置では、偏光フィルムを利用して調光機能を持たせることができる。
【図面の簡単な説明】
【００１５】
【図１】第１の実施形態にかかるサンバイザーを示す斜視図。
【図２】同実施形態にかかるサンバイザーのＡ−Ａ断面図。
【図３】（ａ）〜（ｃ）は、同実施形態にかかる調光手法を示す平面図。
【図４】第２の実施形態にかかるサンバイザーのＡ−Ａ断面図。
【図５】（ａ）〜（ｃ）は、同実施形態にかかる調光手法を示す断面図。
【図６】第２の実施形態の変形例にかかるルーバ内蔵フィルムの断面図。
【発明を実施するための形態】
【００１６】
＜第１の実施形態＞
以下、車載調光装置の第１の実施形態について、図面を参照しつつ説明する。
図１に、本実施形態にかかるシステム構成を示す。図示されるサンバイザー２０は、フロントガラス１０を介して車両の外部からシート１２に着席しているユーザへと照射する光の量を調整する調光装置である。サンバイザー２０は、ユーザに照射される光の量を制御する光制御領域をフレーム２２によって区画形成している。光制御領域は、複数（ここでは、模式的に４個を記載）の光制御領域ａ１，ａ２，ａ３，ａ４に分割されている。
【００１７】
図２に、図１のＡ−Ａ断面を示す。
図示されるように、サンバイザー２０は、フレーム２２によって区画形成される光制御領域ａ２を覆う偏光フィルム４０を備えている。偏光フィルム４０のうち、光制御領域ａ２に位置する部分は、第１光制御部４０Ｆおよび第２光制御部４０Ｂを構成する。ここで、第１光制御部４０Ｆおよび第２光制御部４０Ｂは、光制御領域ａ２の法線方向Ｎに対向配置されている。特に、第１光制御部４０Ｆは、図１に示したフロントガラス１０側に位置し、第２光制御部４０Ｂは、図１に示したシート１２側に位置する。
【００１８】
第１光制御部４０Ｆと第２光制御部４０Ｂとの間には、たとえばガラスやアクリルからなる透明板２６が設けられている。このため、フロントガラス１０側から入射した光は、第１光制御部４０Ｆ、透明板２６、および第２光制御部４０Ｂを介してシート１２側のユーザに到達する。
【００１９】
偏光フィルム４０のうちの一端は、第１巻取部２８に接続されており、他端は、第２巻取部３０に接続されている。詳しくは、偏光フィルム４０は、可撓性を有した長方形状の膜体であり、第１巻取部２８に接続された側に第２光制御部４０Ｂが位置し、第２巻取部３０に接続された側に第１光制御部４０Ｆが位置する。詳しくは、偏光フィルム４０は、第１巻取部２８側から透明板２６の一方の端部Ｅ１に延びた後、透明板２６の一方の面に沿って延び、透明板２６の他方の端部Ｅ２において折り返すことで、透明板２６の他方の面に沿って延び、第２巻取部３０に接続される。
【００２０】
偏光フィルム４０は、第１巻取部２８によって巻き取られる一方、第２巻取部３０によって解かれる。これにより、偏光フィルム４０のうち、光制御領域ａ２に配置される部分が変更され、第１光制御部４０Ｆおよび第２光制御部４０Ｂとなる部分のそれぞれが、第２巻取部３０に接続される側にシフトする。これに対し、偏光フィルム４０は、第２巻取部３０によって巻き取られる一方、第１巻取部２８によって解かれる。これにより、偏光フィルム４０のうち、光制御領域ａ２に配置される部分が変更され、第１光制御部４０Ｆおよび第２光制御部４０Ｂとなる部分のそれぞれが、第１巻取部２８に接続される側にシフトする。
【００２１】
上記第１巻取部２８、偏光フィルム４０および第２巻取部３０のそれぞれは、光制御領域ａ１，ａ２，ａ３，ａ４のそれぞれに対応して、互いに独立な４つの部材からなる。このため、光制御領域ａ１，ａ２，ａ３，ａ４のそれぞれについて、偏光フィルム４０のうち第１光制御部４０Ｆおよび第２光制御部４０Ｂを構成する部分を独立に変更することが可能となる。
【００２２】
上記第１巻取部２８は、モータ５０によって回転可能とされている。ここで、モータ５０は、光制御領域ａ１，ａ２，ａ３，ａ４のそれぞれに、各別に設けられている。モータ５０を光制御領域ａ１，ａ２，ａ３，ａ４のそれぞれに各別に設ける構成は、たとえばモータ５０としてアウターロータ型のものを採用することで容易に実現できる。すなわち、この場合、各モータ５０のステータ同士を連結し、光制御領域ａ１に対応するモータ５０のステータと、光制御領域ａ４に対応するモータ５０のステータとを、フレーム２２に固定すればよい。
【００２３】
なお、第２巻取部３０は、第１巻取部２８が偏光フィルム４０を巻き取るに際して、これに抗する力を付与する機能を有する。これは、第１巻取部２８が偏光フィルム４０を巻き取る際に、これに反する力を生成する弾性部材を備えることで実現することができる。ここで、弾性部材として、コンストンバネを用いるなら、第１巻取部２８が偏光フィルム４０を巻き取る際に要する力を常時一定とすることができるため便宜である。なお、第１巻取部２８によって偏光フィルム４０を所定量巻き取った状態で固定するに際しては、モータ５０に上記状態で固定するためのトルクを生成させればよい。
【００２４】
上記のように、モータ５０を駆動することで偏光フィルム４０が変位し、偏光フィルム４０のうち第１光制御部４０Ｆおよび第２光制御部４０Ｂを構成する部分が変更されると、ユーザに照射される光の量が調節される。次に、図３に基づき、これについて説明する。
【００２５】
図３（ａ）は、透過光量が最も多くなる場合の第１光制御部４０Ｆおよび第２光制御部４０Ｂの配置を示す。
図３（ａ）に示されるように、第１光制御部４０Ｆおよび第２光制御部４０Ｂには、いずれも、選択的に透過させる直線偏光の向き（偏光軸）が第１方向ｐａ１となる矩形状の領域Ａ１と、偏光軸が第２方向ｐａ２となる矩形状の領域Ａ２とが交互に形成されている。ここで、第１方向ｐａ１と第２方向ｐａ２とは、互いに直交する関係となっている。そして、複数の領域Ａ１同士の寸法や、複数の領域Ａ２同士の寸法、さらには領域Ａ１と領域Ａ２とのそれぞれの寸法は、互いに等しくなっている。これは、偏光フィルム４０を、領域Ａ１と領域Ａ２とが交互に形成されたフィルムとすることで実現することができる。
【００２６】
図３（ａ）には、第１光制御部４０Ｆの領域Ａ１と第２光制御部４０Ｂの領域Ａ１とが対向配置され、第１光制御部４０Ｆの領域Ａ２と第２光制御部４０Ｂの領域Ａ２とが対向配置された状態を示している。
【００２７】
図３（ａ）に示す状態の場合、フロントガラス１０側から入射した光のうち、第１光制御部４０Ｆを透過したものは、理想的には全て第２光制御部４０Ｂを透過する。ここで理想的とは、第１光制御部４０Ｆの偏光軸と入射する光の直線偏光の向き（偏光方向）とが同一の場合の吸収率を「０」とする近似のこととする。
【００２８】
すなわち、フロントガラス１０側から入射した光は、第１光制御部４０Ｆの領域Ａ１を透過する場合、第１方向ｐａ１に直線偏光した光となり、第１光制御部４０Ｆの領域Ａ２を透過する場合、第２方向ｐａ２に直線偏光した光となる。そして、第１光制御部４０Ｆの領域Ａ１を透過した光は、理想的には、第２光制御部４０Ｂの領域Ａ１を「１００％」透過し、第１光制御部４０Ｆの領域Ａ２を透過した光は、理想的には、第２光制御部４０Ｂの領域Ａ２を「１００％」透過する。なお、第１光制御部４０Ｆに入射する光のうち、これを透過する光は、理想的には「５０％」である。ここで、「理想的」が意味するのは、上記と同様であるため、第１光制御部４０Ｆや第２光制御部４０Ｂを実際に透過する光は、これよりも少なくなりうる。本実施形態では、第１光制御部４０Ｆを透過した光の偏光方向と、これが入射する第２光制御部４０Ｂの偏光軸とが一致するときの光の透過状態を、「全透過状態」と称する。図３（ａ）は、全透過状態を実現するための第１光制御部４０Ｆの領域Ａ１，Ａ２と、第２光制御部４０Ｂの領域Ａ１，Ａ２との位置関係の設定を示している。
【００２９】
図３（ｂ）は、第１光制御部４０Ｆの領域Ａ１の半分が、第２光制御部４０Ｂの領域Ａ１に対向配置され、残りの半分が、第２光制御部４０Ｂの領域Ａ２に対向配置された場合を示している。この場合、第１光制御部４０Ｆの領域Ａ１と第２光制御部４０Ｂの領域Ａ１とが対向配置される領域と、第１光制御部４０Ｆの領域Ａ２と第２光制御部４０Ｂの領域Ａ２とが対向配置される領域とについては、第１光制御部４０Ｆを透過した光が、理想的には全て第２光制御部４０Ｂを透過する。これに対し、第１光制御部４０Ｆの領域Ａ１と第２光制御部４０Ｂの領域Ａ２とが対向配置される領域と、第１光制御部４０Ｆの領域Ａ２と第２光制御部４０Ｂの領域Ａ１とが対向配置される領域とについては、第１光制御部４０Ｆを透過した光が、理想的には、全て第２光制御部４０Ｂによって遮断される。これは、第１方向ｐａ１と第２方向ｐａ２とが直交するためである。なお、「理想的」とは、入射した光の偏光方向と、偏光フィルムの偏光軸とが直交する場合の吸収率が「１００％」となる状態をいう。
【００３０】
したがって、第２光制御部４０Ｂを透過する光の量は、図３（ａ）の場合と比較して、半分程度となる。本実施形態は、この状態を「半透過状態」と称する。なお、領域Ａ１，Ａ２の短辺の長さを小さくすることで、光が遮断される領域の数は増えるものの、それらの１つずつの領域が小さくなり、ユーザの視界を妨げにくくなる。
【００３１】
図３（ｃ）は、第１光制御部４０Ｆの領域Ａ１と第２光制御部４０Ｂの領域Ａ２とが対向配置され、第１光制御部４０Ｆの領域Ａ２と第２光制御部４０Ｂの領域Ａ１とが対向配置された状態を示す。この場合、第１方向ｐａ１と第２方向ｐａ２とが直交するため、第１光制御部４０Ｆを透過した光が、理想的には、全て第２光制御部４０Ｂによって遮断される。本実施形態では、この状態を「遮断状態」と称する。
【００３２】
このように、本実施形態にかかるサンバイザー２０は、図１に示した４つの領域のそれぞれについて、「全透過状態」、「半透過状態」、および「遮断状態」に各別に調節することができる。
【００３３】
上記構成によれば、サンバイザー２０の光制御領域ａ１〜ａ４の法線方向Ｎがフロントガラス１０の面にほぼ直交する状態において、光制御領域ａ１〜ａ４のそれぞれを透過してシート１２側に到達する光の量は、図示しないスイッチの操作によってモータ５０が駆動されることで、各別に調整される。
【００３４】
以上説明した本実施形態によれば、以下に記載する効果が得られるようになる。
（１）第１光制御部４０Ｆの領域Ａ１および領域Ａ２と、第２光制御部４０Ｂの領域Ａ１および領域Ａ２との相対的な位置関係を変更可能とした。これにより、第１光制御部４０Ｆを透過した光のうち、第２光制御部４０Ｂを透過する率を変更することができ、ひいては、フロントガラス１０から入射した光のうちサンバイザー２０の光制御領域ａ１〜ａ４を透過する率を変更することができる。
【００３５】
（２）第１光制御部４０Ｆおよび第２光制御部４０Ｂを、互いに偏光軸が直交する領域Ａ１および領域Ａ２が交互に形成された偏光フィルムとした。これにより、全透過状態から遮断状態まで透過率を調整することができる。
【００３６】
（３）第１光制御部４０Ｆと第２光制御部４０Ｂとのそれぞれを、偏光フィルム４０の互いに相違する部分とし、偏光フィルム４０の一方の端部を第１巻取部２８に接続するとともに、偏光フィルム４０の他方の端部を第２巻取部３０に接続した。これにより、第１光制御部４０Ｆを構成する偏光フィルムと、第２光制御部４０Ｂを構成する偏光フィルムとを分離し、各偏光フィルムの両端部を巻取部に接続する場合と比較して、部品点数を低減することができる。
【００３７】
（４）サンバイザー２０のフレーム２２によって区画された光制御領域を４つの光制御領域ａ１〜ａ４に分割し、各領域毎に、透過光量を調整可能とした。これにより、所望の領域の透過量を十分に低下させつつも、視界を極力広くすることが可能となる。
【００３８】
＜第２の実施形態＞
以下、第２の実施形態について、第１の実施形態との相違点を中心に図面を参照しつつ説明する。
【００３９】
図４に、図２に対応する部分のＡ−Ａ断面を示す。なお、図４において、図２に示した部材に対応するものについては便宜上同一の符号を付している。
図示されるように、本実施形態では、光を制御するための光制御部材として、偏光フィルムに代えて、ルーバ内蔵フィルム６０を用いる。そして、ルーバ内蔵フィルム６０の一方の端部を第１巻取部２８に接続し、他方の端部を第２巻取部３０に接続する。これにより、フレーム２２によって区画された領域のうち透明板２６よりもフロントガラス１０側に第１光制御部６０Ｆが形成され、シート１２側に第２光制御部６０Ｂが形成される。
【００４０】
また、第１巻取部２８に、本実施形態では、手動のネジ５２を連結する。これにより、ユーザがネジ５２を回転させることで、第１巻取部２８によってルーバ内蔵フィルム６０を巻き取りつつ第２巻取部３０によってルーバ内蔵フィルム６０の巻取を解いたり、第２巻取部３０によってルーバ内蔵フィルム６０を巻き取りつつ第１巻取部２８によって巻取りを解いたりすることができる。なお、第１巻取部２８によるルーバ内蔵フィルム６０の巻取量を所定量とした状態で固定するためには、たとえば手動のネジ５２が回転可能なモードと固定されるモードとを有するようにすればよい。具体的には、たとえば、ネジ５２を軸方向に引っ張り上げることで、回転可能なモードに移行し、ネジ５２を軸方向に所定量引っ込めることで固定されるモードに移行するようにすればよい。
【００４１】
図５（ａ）に、第１光制御部６０Ｆ、透明板２６、および第２光制御部６０Ｂの一部拡大図を示す。図示されるように、ルーバ内蔵フィルム６０は、遮光板（ルーバ６２）が一定間隔で形成されたフィルムである。詳しくは、ルーバ６２は、ルーバ内蔵フィルム６０の一方の面から他方の面へと進むにつれて、同面の法線方向に対して斜めに延びるようにして形成されている。
【００４２】
図５（ｂ）は、第１光制御部６０Ｆのルーバ６２と第２光制御部６０Ｂのルーバ６２とが、法線方向Ｎにおいて互いに対向する位置にある状態を示す。この場合、入射角が光制御領域ａ１〜ａ４に直交する光を透過させる。
【００４３】
図５（ｃ）は、法線方向Ｎに直交する方向において、第１光制御部６０Ｆの一対のルーバ６２間に第２光制御部６０Ｂのルーバ６２が位置する状態を示す。この場合、入射角が光制御領域ａ１〜ａ４に直交する光は、第２光制御部６０Ｂにおいてほぼ遮られる。
【００４４】
このため、フロントガラス１０を介して入射する光のうち、特定の入射角を有する光をほぼ遮断することができる。このため、この入射角が太陽光線の入射角となるようにするなどすれば、太陽光線がシート１２側に過度に照射される事態を好適に抑制することができる。
【００４５】
このように本実施形態においても、ルーバ内蔵フィルム６０のうち第１光制御部６０Ｆとなる部分と第２光制御部６０Ｂとなる部分との組み合わせを変更することで、第１光制御部６０Ｆの特定の部分の特性と、同部分の法線方向Ｎに位置する第２光制御部６０Ｂの部分の特性との組み合わせを変更することができる。そしてこれにより、光制御領域ａ２の光透過特性を変更することができる。
【００４６】
＜技術的思想と実施形態との対応＞
以下、上記「課題を解決するための手段」に記載された技術的思想と、実施形態との代表的な対応関係を記載する。
【００４７】
［技術的思想１：光制御領域…ａ１〜ａ４、光制御部材…４０，６０、第１光制御部…４０Ｆ，６０Ｆ、第２光制御部…４０Ｂ，６０Ｂ、法線方向…Ｎ、変更部材…２８，３０，５０，５２、］［技術的思想２：複数の領域…ａ１〜ａ４］［技術的思想３：光制御領域…ａ１〜ａ４、光制御部材…４０，６０、変更部材…２８，３０，５０，５２］［技術的思想４：巻取部…２８，３０］［技術的思想５：所定の光…「偏光軸ｐａ１，ｐａ２を偏光方向とする光（第１の実施形態）」、「ルーバ６２によって遮光されない光（第２の実施形態）」］［技術的思想６：偏光フィルム…４０］
＜その他の実施形態＞
なお、上記各実施形態は、以下のように変更して実施してもよい。
【００４８】
・「光制御領域について」
４つの光制御領域ａ１〜ａ４に限らない。隣接する複数の光制御領域の数が多いほど、必要な部分のみ遮光しつつも、ユーザの視界を遮ることを極力抑制することができる。
【００４９】
隣接する領域としては、サンバイザー２０の長手方向に分割された領域に限らない。たとえば、さらに、短手方向に領域を分割してもよい。
なお、たとえばサンバイザー２０が、単一の光制御領域のみを備えるものであったとしても、上記第１の実施形態や第２の実施形態に例示した調光機能を付与することは有効である。
【００５０】
・「変更部材について」
偏光フィルム４０やルーバ内蔵フィルム６０の両端部のそれぞれを巻き取る巻取部を備えるものに限らない。たとえば、第１光制御部４０Ｆ，６０Ｆとなる光制御部材と、第２光制御部４０Ｂ，６０Ｂとなる光制御部材とを互いに切り離された部材とし、切り離された一対の部材のうちの少なくとも一方の両端部に、巻取部を備えるようにしてもよい。すなわち、たとえば第１光制御部４０Ｆ，６０Ｆについては光制御部材の所定の領域が光制御領域ａ１〜ａ４のそれぞれに割り当てられて固定され、第２光制御部４０Ｂ，６０Ｂについては、光制御部材の互いに相違する領域が第２光制御部４０Ｂ，６０Ｂを構成しうるようにしてもよい。ここで、第２光制御部４０Ｂ，６０Ｂは、たとえば、光制御領域ａ１〜ａ４のそれぞれに、各別の光制御部材を設け、光制御部材のうち、対応する領域に位置する部分を、巻取部を用いて変更すればよい。
【００５１】
・「偏光フィルムについて」
偏光軸が互いに直交する領域Ａ１と領域Ａ２とが交互に出現するものに限らない。たとえば、領域Ａ１と領域Ａ２との間に、偏光軸が第１方向ｐａ１および第２方向ｐａ２の双方と同一角度だけずれた第３の領域を有するものであってもよい。この場合であっても、全透過状態から遮断状態まで、透過量を調整することができる。
【００５２】
偏光軸が同一となる領域Ａ１，Ａ２のそれぞれの横幅が、光制御領域ａ１〜ａ４のそれぞれの横幅と同一となるものに限らない。たとえば、偏光軸が同一となる領域の横幅を、第１光制御部４０Ｆ，６０Ｆや第２光制御部４０Ｂ，６０Ｂの横幅を等分割したものとしてもよい。すなわち、偏光フィルム４０の横方向においても、偏光軸が互いに相違する領域が隣接するようにしてもよい。
【００５３】
偏光軸が互いに直交する方向となる領域を有するものにも限らない。これらが直交しない場合、第１光制御部４０Ｆ，６０Ｆと第２光制御部４０Ｂ，６０Ｂとの対向配置のみによっては、遮断状態を生成するのは困難であるが、調光機能を実現することはできる。
【００５４】
・「第１光制御部および第２光制御部を有した調光手法について」
光制御領域ａ１〜ａ４のそれぞれの法線方向Ｎに、フィルム面同士が互いに対向するようにして２つ並べて配置するものに限らず、３つ以上並べて配置するものであってもよい。この場合であっても、そのうちの１つによって第１光制御部を構成して且つ、別の１つによって第２光制御部を構成し、光制御部材を変位させることで光制御部材のうち第１光制御部および第２光制御部の少なくとも一方となる部分を変更することで、調光機能を持たせることができる。さらに、この場合、並べて配置された３つ以上のフィルム面のうち第１光制御部および第２光制御部のいずれでもない第３光制御部について、光制御部材を変位させることで第３光制御部になる部分をも変更してもよい。
【００５５】
所定の光を選択的に透過させる部材を用いるものにも限らない。たとえば、光制御部材として、直線偏光の向きや入射角に対して吸収率や反射率に顕著な相違を有しないものの、光の吸収率や反射率が互いに顕著に相違する複数の領域（光透過特性が互いに相違する複数の領域）を有する光制御部材を用いてもよい。この場合であっても、第１光制御部および第２光制御部の少なくとも一方となる部分を変更することで、光の吸収率や反射率を変化させることができるため、調光機能を持たせることができる。
【００５６】
・「第１光制御部および第２光制御部について」
これらを有することは必須ではない。たとえば、光制御部材として、直線偏光の向きや入射角に対して吸収率や反射率に顕著な相違を有しないものの、光の吸収率や反射率が互いに顕著に相違する複数の領域を有するものを用い、光制御領域に位置する部分を変更するなら、調光機能を持たせることができる。そして、この際、光制御領域ａ１〜ａ４の各別に、光制御領域に位置する部分を変更可能とするなら、遮光したい部分を遮光しつつも、ユーザの視界を極力広くすることができる。
【００５７】
・「光制御部材について」
ルーバ６２の形状や配置手法としては、上記第２の実施形態（図５）に例示したものに限らない。たとえば、図６に例示されるものであってもよい。図６は、図５（ａ）に対応する断面図である。このルーバ６２ａは、シート１２側に行くほど太くなるテーパ上の部材である。特に、フィルム面に平行な面によるルーバ断面を、フロントガラス１０側からシート１２側へとシフトさせた際の断面の重心の変位方向がフィルム面の法線方向に平行となっている。この場合、光の入射角が法線方向から大きくずれことで、透過率が大きく低下する特性を有した光制御部材となる。そして、第１光制御部６０Ｆのルーバ６２ａに対する第２光制御部６０Ｂのルーバ６２ａの位置をずらすことで、第１光制御部６０Ｆを透過した光を第２光制御部６０Ｂのルーバ６２ａによって遮断することができる。
【００５８】
また、ルーバ内蔵フィルムとしては、フィルム面に均一に同一のルーバが配置されるものに限らない。たとえば、領域毎にルーバの配置間隔やルーバの形状が相違する領域を有してもよい。これにより、光透過特性が相違する複数の領域を有するようにするなら、第１光制御部となる部分と第２光制御部となる部分との光透過特性の組み合わせを変更することができ、これにより、光の透過量を変更することができる。
【００５９】
なお、他にもたとえば、直線偏光の向きや入射角に対して吸収率や反射率に顕著な相違を有しないものの、光の吸収率や反射率が互いに顕著に相違する複数の領域を有するものであってもよいことについては、「第１光制御部および第２光制御部について」の欄等に記載したとおりである。
【００６０】
・「車載調光装置の用途について」
車両のフロントガラスを介して車室内に照射される光の量を調節するサンバイザーに限らない。たとえば、車両のウィンドウガラスを介して透過する光を調節するために調光装置を用いてもよい。これは、たとえば、ウィンドウガラスの面に複数の偏光フィルムの面を対向配置して且つ、それら偏光フィルムの面同士の位置関係を変更可能とすることで実現することができる。
【００６１】
またたとえば、サンルーフを備えるものにあっては、その天窓から透過する光を調節するために調光装置を用いてもよい。これは、たとえば、天窓の面に複数の偏光フィルムの面を対向配置して且つ、それら偏光フィルムの面同士の位置関係を変更可能とすることで実現することができる。
【符号の説明】
【００６２】
１０…フロントガラス、１２…シート、２０…サンバイザー、２２…フレーム、２６…透明板、２８…第１巻取部、３０…第２巻取部、４０…偏光フィルム、４０Ｂ…第２光制御部、４０Ｆ…第１光制御部、５０…モータ、５２…ネジ、６０…ルーバ内蔵フィルム、６０Ｂ…第２光制御部、６０Ｆ…第１光制御部、６２…ルーバ
【図１】
2015136968.tif 000003
【図２】
2015136968.tif 000004
【図３】
2015136968.tif 000005
【図４】
2015136968.tif 000006
【図５】
2015136968.tif 000007
【図６】
2015136968.tif 000008